(57)【要約】      （修正有）【課題】導電性液体に浸すことで、蝋燭の点火と同等の、高い装飾効果、及び演出効果を得ることが可能な発光装置を提供する。【解決手段】透光性を有し、外側ケース体１１と、上記外側ケース体内に、水密状態で封入された内側ケース体１３とを備え、上記内側ケース体の内部に、発光ダイオード１４と電池と、上記電池１５と上記発光ダイオードとを接続する接続線路と、上記発光ダイオードの発光を制御する制御基板１６とからなる電気回路部１７を設ける。また、上記内側ケース体と外側ケース体を貫通して配設され、一端部が上記内側ケース体内の上記電気回路部に接触状態で配置され、他端部が一対のゴム電極１８を備える。導電性を有する液体中に上記一対のゴム電極を接触させることによって、一対のゴム電極が通電されて上記電気回路部が通電状態となる。制御基板１６には、上記ゴム電極を経由して上記電気回路部に通電された後、所定時間遅延した後に、上記発光ダイオードを通電点灯させる遅延回路が組み込まれた構成とする。【選択図】図２
0003167411.tif 000002
【実用新案登録請求の範囲】
【請求項１】
中空に形成され、透光性を有する素材からなる外側ケース体と、上記外側ケース体内に、水密状態で封入された、透光性を有する素材からなる内側ケース体とを備え、上記内側ケース体の内部に封入され、発光ダイオードと、上記発光ダイオードに電力を供給する電池と、上記電池と発光ダイオードとの間に接続され、上記発光ダイオードの発光を制御する制御基板とからなる電気回路部と、上記内側ケース体と外側ケース体を貫通して配設され、一端部が上記内側ケース体内の上記電気回路部に接触状態で配置されると共に、他端部が上記外側ケース体から外方に突出して配置され、互いに離間して配置された一対のゴム電極とを備え、
導電性を有する液体中に上記一対のゴム電極を接触させることによって、一対のゴム電極が通電されて上記電気回路部が通電状態となり、上記発光ダイオードを発光させる発光装置において、
上記制御基板には、上記ゴム電極を経由して上記電気回路部に通電された後、所定時間遅延した後に、上記発光ダイオードを通電点灯させる遅延回路が組み込まれていることを特徴とする発光装置。
【請求項２】
上記外側ケース体は、全体略六角柱形に形成され、
上記外側ケース体の底面部には内部に貫通する一対の孔部が設けられると共に、上端部には、上方に向かって次第に収斂するテーパー面を有する突出部を有し、
上記外側ケース体内には、上記電池、発光ダイオード及び電気回路部が収納され、底面部に、内部に貫通する一対の孔部が形成された鐘形状の内側ケース体が配置され、
上記ゴム電極は、円板状の電極本体部と、上記電極本体部の両面部から突出する一対の突起部とから形成され、上記内側ケース体の底面部と上記外側ケース体の底面部との間に押圧状態で挟持され、
一方の突起部は、上記外側ケース体の底面部の孔部を介して外方に突出して配置されると共に、他方の突起部は、上記内側ケース体の孔部を介して、上記内側ケース体の内方において、上記電気回路部に接続しうるように配置されていることを特徴とする請求項１記載の発光装置。
【請求項３】
上記外側ケース体の底面部の外側面部には、１つ以上の突起部が設けられると共に、上記底面部の内側面部の外周縁部に沿って、上記外側ケース体の内方に突出するリング状の凸部が設けられ、
上記内側ケース体の下端には上記外側ケース体の凸部に嵌合しうる溝部がリング状に穿設され、上記リング状凸部と上記溝部とは、ゴムパッキンを介して圧接されて嵌合されていることを特徴とする請求項２記載の発光装置。
【請求項４】
上記電池は板バネ状の電極により挟持された状態で上記内側ケース体に収容されていることを特徴とする請求項１又は２いずれか１項に記載の発光装置。
【請求項５】
上記外側ケース体内に、透光性を有するゲル状の物質を封入されていることを特徴とする請求項１乃至４いずれか１項に記載の発光装置。
【考案の詳細な説明】
【技術分野】
【０００１】
本考案は、透光性のある容器に発光体を封入し、導電性液体に浸すことにより、発光体が点灯する発光装置に関する。
【背景技術】
【０００２】
発光ダイオードは、少ない電力で発光させることが可能であり、近年様々な照明装置に使用され、色彩も美しく、装飾部材としての活用範囲も広い。
【０００３】
発光ダイオードを用いた装飾部材として、透明な容器に発光体と保冷剤を封入し、表面に電極を設けた本体を水道水等の導電性液体に浸すことにより、内部の発光体を点灯させる発光保冷体が開示されている（特許文献１）。
【０００４】
しかしながら、上記特許文献１に係る発光装置にあっては、容器底部の電極
部分や、容器と底面部の接着部分から水や導電性液体が容器内部に漏出し、結果として結露が生じ、通電に不具合が生じる場合があった。
また、同発光装置を液体に沈めて本体底面が液体を満たした容器の底に密着させた場合、液体の表面張力の影響で容器底部の電極が適性に浸漬されず、通電が正しく行われないという問題があった。更には外部から本体に衝撃を加えた場合に、電池の固定が弱い為、電池が電極から外れたり、内部の発光体の配線部分が破損したりするという問題があった。
【０００５】
上記不具合を解決するため、内部中空に形成された外側ケース体と、上記外側ケース体内に、水密状態で封入された内側ケース体とを備え、上記内側ケース体の内部に封入され、発光ダイオードと、上記発光ダイオードに電力を供給する電池と、上記電池と発光ダイオードとの間に接続され、上記発光ダイオードの発光を制御する制御基板とからなる電気回路部と、上記内側ケース体と外側ケース体を貫通して配設され、一端部が上記内側ケース体内の上記電気回路部に接触状態で配置されると共に、他端部が上記外側ケース体から外方に突出して配置され、互いに離間して配置された一対のゴム電極とを備え、導電性を有する液体中に上記一対のゴム電極を接触させることによって、一対のゴム電極が通電されて上記電気回路部が通電状態となり、上記発光ダイオードを発光させる発光装置が提案されている（特許文献２）。
【０００６】
上記特許文献２の発明にあっては、ケース体内部に導電性液体が漏入することが防止され、結露や通電不具合を防止することができる。
【０００７】
上記特許文献２に係る発光装置は、結婚式披露宴のパーティにおける演出として、例えば水道水やシャンパン等を満たしたグラスをゲストテーブルに配置し、主催者が上記発光装置を上記グラスに投入することによって発光装置が点灯するため、所謂キャンドルサービスと同様の演出が、火を用いずに安全に行うことができる。
【０００８】
しかしながら、上記特許文献２の発光装置にあっては、水道水等の導電性液体にゴム電極を浸されると、ほぼ同時に発光ダイオードに対して通電され、上記発光ダイオードが点灯する。
このため、蝋燭へ点火する場合のように、火をつけてからしばらく時間を置き、徐々に輝きを増していくような演出を行うことはできなかった。
従って、従来のキャンドルサービスと比較して、装飾効果、演出効果としてのインパクトに欠けるという不具合を有していた。
【特許文献１】実登第３０８４９７４号公報
【特許文献２】実登第３１０４７８４号公報
【考案の開示】
【考案が解決しようとする課題】
【０００９】
そこで本考案では、従来技術の問題点に鑑みなされたもので、導電性液体に浸すことで発光しうる発光装置において、蝋燭の点火と同様に、高い装飾効果、及び演出効果を得ることが可能な発光装置を提供することにある。
【課題を解決するための手段】
【００１０】
上記課題を解決するために請求項１に記載の考案に係る発光装置は、中空に形成され、透光性を有する素材からなる外側ケース体と、上記外側ケース体内に、水密状態で封入された、透光性を有する素材からなる内側ケース体とを備え、上記内側ケース体の内部に封入され、発光ダイオードと、上記発光ダイオードに電力を供給する電池と、上記電池と発光ダイオードとの間に接続され、上記発光ダイオードの発光を制御する制御基板とからなる電気回路部と、上記内側ケース体と外側ケース体を貫通して配設され、一端部が上記内側ケース体内の上記電気回路部に接触状態で配置されると共に、他端部が上記外側ケース体から外方に突出して配置され、互いに離間して配置された一対のゴム電極とを備え、導電性を有する液体中に上記一対のゴム電極を接触させることによって、一対のゴム電極が通電されて上記電気回路部が通電状態となり、上記発光ダイオードを発光させる発光装置において、上記制御基板には、上記ゴム電極を経由して上記電気回路部に通電された後、所定時間遅延した後に、上記発光ダイオードを通電点灯させる遅延回路が組み込まれていることを特徴とする。
【００１１】
従って、本考案によれば、導電性液体に上記ゴム電極を浸し、上記ゴム電極に通電されても、所定の時間遅延して発光ダイオードに通電され、導電性液体に浸してから、時間をおいて発光ダイオードの発光が開始する。
なお、遅延回路は、既に多数の形態によるものが知られており、例えばコンデンサ若しくはトランジスタを電気回路部上に配置し、所定の電圧値まで、放電されないような回路構成とすることによって実現することができる。
本願においては、上記遅延回路事態の形態は特に限定されず、公知の遅延回路の構成を適宜選択することができる。
【００１２】
また、請求項２に記載の考案に係る発光装置は、上記外側ケース体は、全体略六角柱形に形成され、上記外側ケース体の底面部には内部に貫通する一対の孔部が設けられると共に、上端部には、上方に向かって次第に収斂するテーパー面を有する突出部を有し、上記外側ケース体内には、上記電池、発光ダイオード及び電気回路部が収納され、底面部に、内部に貫通する一対の孔部が形成された鐘形状の内側ケース体が配置され、上記ゴム電極は、円板状の電極本体部と、上記電極本体部の両面部から突出する一対の突起部とから形成され、上記内側ケース体の底面部と上記外側ケース体の底面部との間に押圧状態で挟持され、一方の突起部は、上記外側ケース体の底面部の孔部を介して外方に突出して配置されると共に、他方の突起部は、上記内側ケース体の孔部を介して、上記内側ケース体の内方において、上記電気回路部に接続しうるように配置されていることを特徴とする。
【００１３】
従って、ゴム電極が上記外側ケース体の底面部と、内側ケース体底面部との間で押圧状態で挟持されていることから、上記ゴム電極の突起部が上記外側ケース体の外方に突出していても、導電性液体が、内部に侵入することがない。
また、外側ケース体の突起部によって、発光ダイオードの光が散乱し易くなり、発光装置全体が発光するように視認される。
【００１４】
また、請求項３に記載の考案に係る発光装置は、上記外側ケース体の底面部の外側面部には、１つ以上の突起部が設けられると共に、上記底面部の内側面部の外周縁部に沿って、上記外側ケース体の内方に突出するリング状の凸部が設けられ、上記内側ケース体の下端には上記外側ケース体の凸部に嵌合しうる溝部がリング状に穿設され、上記リング状凸部と上記溝部とは、ゴムパッキンを介して圧接されて嵌合されていることを特徴とする。
【００１５】
従って、リング状のゴムパッキンが、上記外側ケース体の底面部の凸部と内側ケース体の下端の溝部によって押圧されることにより、より本体の密閉度が高めることができる。
また、上記外側ケース体の底面部の突起部によって、発光装置を導電性液体の入った容器に沈めた場合に、容器の平坦な底面と本体下端が密着することを防ぎ、導電性液体の表面張力によって、ゴム電極に導電性液体が接触しなくなる事態を防止しうる。
【００１６】
また、請求項４に記載の考案に係る発光装置は、上記電池は板バネ状の電極に挟持された状態で上記内側ケース体に収容されていることを特徴とする。
【００１７】
従って、外部から発光装置に衝撃が加わった場合であっても、上記板バネ状の電極によって電池が強固にされる。
【００１８】
請求項５記載の考案は、上記外側ケース体内に、透光性を有するゲル状の物質を封入されていることを特徴とする。
【００１９】
従って、上記ゲル状物質によって、発光ダイオードの光が拡散、散乱する
【考案の効果】
【００２０】
請求項１の考案にあっては、上記電気回路部の制御基板に、上記ゴム電極を経由して上記電気回路部に通電された後、所定時間遅延した後に、上記発光ダイオードを通電点灯させる遅延回路が組み込まれていることから、ゴム電極を導電性液体に浸した後、所定時間が経過するまで発光ダイオードの発光が抑制される。
従って、蝋燭の点火と同様若しくはそれ以上に、高い装飾効果、及び演出効果を得ることが可能な発光装置を提供することができる。
【００２１】
また、請求項２の考案にあっては、上記外側ケース体は、全体略六角柱形に形成され、上記外側ケース体の底面部には内部に貫通する一対の孔部が設けられると共に、上端部には、上方に向かって次第に収斂するテーパー面を有する突出部を有し、上記外側ケース体内には、上記電池、発光ダイオード及び電気回路部が収納され、底面部に、内部に貫通する一対の孔部が形成された鐘形状の内側ケース体が配置され、上記ゴム電極は、円板状の電極本体部と、上記電極本体部の両面部から突出する一対の突起部とから形成され、上記内側ケース体の底面部と上記外側ケース体の底面部との間に押圧状態で挟持され、一方の突起部は、上記外側ケース体の底面部の孔部を介して外方に突出して配置されると共に、他方の突起部は、上記内側ケース体の孔部を介して、上記内側ケース体の内方において、上記電気回路部に接続しうるように配置されていることから、密閉性が向上し、内部の結露等をより確実に防止できると共に、上記外側ケース体の突起部によって、発光ダイオードの光が散乱し易くなり、発光装置全体が発光するように視認されるため、装飾効果が、より向上する。
【００２２】
また、請求項３の考案にあっては、上記外側ケース体の底面部の外側面部には、１つ以上の突起部が設けられると共に、上記底面部の内側面部の外周縁部に沿って、上記外側ケース体の内方に突出するリング状の凸部が設けられ、上記内側ケース体の下端には上記外側ケース体の凸部に嵌合しうる溝部がリング状に穿設され、上記リング状凸部と上記溝部とは、ゴムパッキンを介して圧接されて嵌合されていることから、上記外側ケース体と内側ケース体の密閉性が更に向上し、内部の結露等を更に確実に防止できる。
【００２３】
また、請求項４の考案にあっては、上記電池は板バネ状の電極に挟持された状態で上記内側ケース体に収容されていることから、振動等によっても、上記内側ケース体内において電池がずれ難く、通電不良、発光不良が生じ難い。
【００２４】
また、請求項５の考案にあっては、上記外側ケース体内に、透光性を有するゲル状の物質を封入されていることから、上記ゲル状の物質によって、発光ダイオードの光が拡散、散乱され、発光装置全体が発光するように視認され、更に装飾効果が向上する。
【図面の簡単な説明】
【００２５】
【図１】本考案の一実施の形態を示し実施例の形態における発光装置の全体斜視図である。
【図２】本考案の一実施の形態を示し実施例の形態における発光装置の分解斜視図を示す。
【図３】本考案の一実施の形態を示し実施例の形態における発光装置の組立断面図を示す。
【図４】本考案の一実施の形態を示し実施例の形態における発光装置の底面図を示す。
【図５】本考案の一実施の形態を示し実施例の形態における発光装置の図４でのＡ−Ａ′縦断面図を示す。
【図６】本考案の一実施の形態を示し実施例の形態における発光装置の図４でのＢ−Ｂ′縦断面図を示す。
【図７】本考案の発光装置を使用する場合の実施例を示す。
【図８】本考案の発光装置の他の実施例の示し（ａ）は発光装置の底面図、（２）は導電性液体を満たした容器に入れた場合の形態を示す側面図である。
【考案を実施するための最良の形態】
【００２６】
以下、本考案を実施するための形態について、添付図面に基づいて以下説明する。
図１に示すように、本実施例に係る発光装置１０は、透光性を有する素材からなり、内部中空に形成された外側ケース体１１と、上記外側ケース体１１の内部１２に、水密状態で封入された内側ケース体１３とを備え、図２に示すように、上記内側ケース体１３の内部に封入され、発光ダイオード１４と、上記発光ダイオード１４に電力を供給する電池１５、１５と、上記電池１５、１５と発光ダイオード１４との間に接続され、上記発光ダイオード１４の発光を制御する制御基板１６とからなる電気回路部１７と、上記内側ケース体１３と外側ケース体１１を貫通して配設され、一端部が上記内側ケース体１３内の上記電気回路部１７に接触状態で配置されると共に、他端部が上記外側ケース体１１から外方に突出して配置され、互いに離間して配置された一対のゴム電極１８、１９とを備え、上記制御基板１６には、上記ゴム電極１８、１９を経由して上記電気回路部１７に通電された後、所定時間遅延した後に、上記発光ダイオード１４を通電点灯させる遅延回路２０が組み込まれている。
【００２７】
また、図３に示すように、上記外側ケース体１１は、全体略六角柱形に形成され、上記外側ケース体１１の底面部２１には内部に貫通する一対の孔部２２、２３が設けられると共に、上端部には、上方に向かって次第に収斂するテーパー面２４を有する突出部２５を有し、上記外側ケース体１１の内部１２には、上記電池１５、１５、発光ダイオード１４、及び電気回路部１７が収納され、底面部２６に、内部に貫通する一対の孔部２７、２８が形成された鐘形状の内側ケース体１３が配置され、上記ゴム電極１８、１９は、円板状の電極本体部１８ａ、１９ａと、上記電極本体部１８ａ、１９ａの両面部から突出する一対の突起部１８ｂ、１８ｃ及び１９ｂ、１９ｃとから形成され、上記内側ケース体１３の底面部２６と上記外側ケース体１１の底面部２１との間に押圧状態で挟持され、一方の突起部１８ｂ、１９ｂは、上記外側ケース体１１の底面部２１の孔部２２、２３を介して外方に突出して配置されると共に、他方の突起部１８ｃ、１９ｃは、上記内側ケース体１３の孔部２７、２８を介して、上記内側ケース体１３の内方において、上記電気回路部１７に接続しうるように配置されている。
【００２８】
また、図４に示すように、上記外側ケース体１１の底面部２１の外側面部には、１つ以上の突起部２９、２９、２９．．が設けられると共に、図３に示すように、上記底面部の内側面部の外周縁部に沿って、上記外側ケース体１１の内方に突出するリング状の凸部３０が設けられ、上記内側ケース体１３の下端には上記外側ケース体１１の凸部３０に嵌合しうる溝部３１がリング状に穿設され、上記リング状凸部３０と上記溝部３１とは、ゴムパッキン３２を介して圧接されて嵌合されている。
【００２９】
また、図３に示すように、上記電池１９、１９が板バネ状の電極３６、３７間に挟持された状態で上記内側ケース体１３に収容されている。
【００３０】
また、図１に示すように上記外側ケース体１１の内部１２には、透光性を有するゲル状物質３４が封入されている。
【実施例１】
【００３１】
上記形態の実施例の構成について、添付図面を用いて説明する。
図１は、本実施例に係る発光装置の全体斜視図である。
図１に示すように、外側ケース体１１は長方形、底面は六角形の六角柱形状であり、上端の突出部２５は、三角形と五角形のテーパー面２４、２４、２４、２４、２４、２４が交互配置され、全体が六方晶系の水晶結晶に類似した形状に形成されている。
上記の形状にすることにより、内部の発光ダイオードの光を屈折し易くなっている。
【００３２】
図２は本実施例に係る発光装置の分解斜視図を示し、図３は本実施例に係る発光装置の組立断面図を示している。
図２、３に示すように、上記外側ケース体１１の底面部２１の一対の孔部２２、２３にゴム電極１８、１９の一方の突起部１８ｂ、１９ｂを挿通し、その上にラベル３５、内側ケース体１３の底面部２６と重ね、ゴム電極１８、１９の他方の突起部１８ｃ、１９ｃをそれぞれ上記底面部２６の孔部２７、２８に挿通した後、上記外側ケース体１１底面部２１と上記うちケース体１３の底面部２６を接着することによって密封される。
また、ゴム電極１８、１９は、その突起部１８ｂ、１８ｃ、１９ｂ、１９ｃが上記孔部２７、２８の径にほぼ等しい径寸法、上記電極本体部１８ａ、１９
ａは上記孔部２２、２３、２７、２８の径より大きな径寸法に形成されている。
なお、上記外側ケース体１１の底面部２１の外側面部には、突起部２９が六つの角と、上記孔部２２、２３の周囲に合計１３個設けられている。
【００３３】
また、発光ダイオード１４と電池１５、１５、制御基板１６について説明する。制御基板１６には発光ダイオード１４と、上記電池１５のプラス極に接触する一対のプラス電極３６、３７と、上記電池１５のマイナス極に接触するマイナス電極３８と、表面は絶縁シート４０が貼付された通電スイッチ用電極３９がそれぞれ延出されている。
上記、通電スイッチ用電極３９は電池１５のマイナス極に上記絶縁シート４０を介して当接している。
また、上記プラス電極３６、３７は板バネ状の構造となっており、下部のマイナス電極３８及び通電スイッチ用電極３９とを用いて電池１５、１５を２個重ねた状態で挟持している。
【００３４】
また、制御基板１６上には、制御基板１６に通電された後、所定の時間が経過するまで、発光ダイオード１４に対する通電を遅延させる、遅延回路２０が配設されている。
上記遅延回路２０の電子部品構成は特に限定する必要はなく、遅延させる時間に応じて、適宜選択部品、配線を調整することができる。
遅延回路に用いる部品としては、蓄電可能なキャパシタ（コンデンサ）とスイッチングを行うトランジスタ（またはＩＣ）と抵抗等があるが、どの電子部品構成であっても、上記制御基板１６上に配置しうる場合は、その構成を限定する必要は無く、適宜変更が可能である。
【００３５】
また、外側ケース体１１と内側ケース体１３の間の空間にはゲル状物質３４が封入されている。
また、内側ケース体１３には下端にリング状の溝部３１が設けられ、発光ダイオード１４、電池１５、１５、制御基板１６、電極３６、３７、３８が一体で上記内側ケース体１３の内部に収容され、上記外側ケース体の底面部２１のリング状凸部３０と内側ケース体のリング状溝部３１でゴムパッキン３２を挟持し、底面部２１の周縁部と外側ケース体１１の嵌合部とが超音波によって溶着されて密封される。
【００３６】
また、図４は本実施例に係る発光装置１０の底面図を示し、図５は図４におけるＡ−Ａ′方向での縦断面図を、図６は図４のＢ−Ｂ′方向での縦断面図を示している。
図４乃至６に示すように、一対のゴム電極１８、１９の突起部１８ｃ、１９ｃはそれぞれマイナス電極３８、通電スイッチ用電極３９に当接している。
また、ゴム電極１８、１９の突起部１８ｂ、１９ｂは上記外側ケース１１の底面部２１の孔部２２、２３から外方に露出して配置されている。
なお、この状態においては、電池１５のマイナス極には、マイナス電極３８を介してゴム電極１８のみが接続しており、通電スイッチ用電極３９に当接しているゴム電極１９には、上記通電スイッチ用電極３９が絶縁シート４０を介して電池１５のマイナス極に接触しているため、上記ゴム電極１９及び上記通電スイッチ用電極３９には通電されない。
【００３７】
図７は、本考案の発光装置を使用する場合の一実施例を示している。
図７に示すように、グラス４１に導電性液体４２（水道水等）を満たし、そ
の中に発光装置１０を浸漬する。
この際、図一対のゴム電極１８、１９が導電性液体４２に浸漬されると、ゴム電極１８とゴム電極１９の間が通電されるため、上記電池１５のマイナス極から、マイナス電極３８、ゴム電極１８、導電性液体４２、ゴム電極１９、通電スイッチ用電極３９の経路を介して、上記制御基板１６へ通電される。
【００３８】
これにより、上記制御基板１６に通電されると、上記制御基板１６上の遅延回路２０によって、所定の時間、発光ダイオード１４に対する通電が遅延され、導電性液体４２内に発光装置１０を浸してから、所定の時間が経過した後まで、発光ダイオード１４が点灯の点等が遅延する。
上記発光ダイオードの発光が始まるまで時間が係ることから、例えば、結婚式の披露宴会場等において、グラス内にシャンパン等を満たして各テーブルに配置し、キャンドルサービスと同様の要領によって、新郎新婦が、本考案に係る発光装置１０を各テーブルのグラス内に投入することによって、出席客は、その後に何が起こるのかの期待感を一瞬持ち、直後に上記発光ダイオード１４の発光が始まるため、視覚的なインパクトが斬新であり、高い演出効果を得ることができる。
【００３９】
また、この際、発光装置１０の外側ケース体１１の底面部２１には突起部２９が配設されているため、に示すように底面部２１がグラスの壁面や底面に密着することがなく、導電性液体４２の表面張力の影響を受けることがないので、ゴム電極１８、１９が確実に上記導電性液体４２に浸漬され、発光が阻害されることが無い。
【実施例２】
【００４０】
また、図８は本実施例に係る発光装置１０の外側ケース体１１の底面部２１についての他の実施例を示している。
図８（Ａ）に示すように、突起部２９は六つの角にそれぞれ１つずつ、更に一対のゴム電極１８．１９を囲むように７個、合計１３個が底面部２１の底面に配置されている。また、突起部２９の底面からの高さを０．５ミリメートル、ゴム電極１８、１９の底面からの突出長さを０．３ミリメートルとしている。従って図８（Ｂ）に示すように、導電性液体４２の入った容器４１の底部が曲面形状に形成されている場合であっても、上記ゴム電極１８、１９が上記曲面に接することが無く、常に導電性液体に浸漬される。
【００４１】
また、ゴムパッキン３２はリング状形状以外に、四角形以上の多角形であってもよい。また、その材質はゴム以外の有機エラストマーや金属等の弾性体であってもよい。
また、内側ケース体１３の底面部２６の形状も四角形、五角形、八角形若しくはそれ以上の多角形形状であってもよく、外側ケース体１１の形状も上記の本実施例の形態には限定されず、光を拡散しうる所謂水晶結晶形状に類似する形状であれば、適宜変更することができる。
【００４２】
また、ゲル状物質３４はフレーク状の物質や粒状の物質でも代用できる。
また、発光装置１０を保冷体として使用する場合には、保冷剤として、例えばポリアクリル酸ナトリウム等の高分子給水ゲルを封入することが出来る。
【００４３】
また、導電性液体は、水の他、アルコール分、糖分が含有されていてもよいが、厳密な純水は非導電性であるため、対象外である。
【００４４】
本考案の発光装置は、例えばその全体を大きくして容器を耐圧性のある材質で構成すると共に、容器内部に複数個の発光体とその発光体を制御する制御回路を収容することができる。そして、海中やプールなどに沈めることにより、漁礁やイルミネーションとして使用することも可能である。
【産業上の利用可能性】
【００４５】
本考案は、透光性のある容器に発光体を封入し、導電性液体に浸すことにより、発光体が点灯する発光装置に適用が可能であり。
特に、シャンペンやワイン、水等を満たしたグラスに本発光装置を入れ、同グラスを並べたり、積み重ねたりすることで、結婚式やパーティーでの装飾に用いることができ、水槽に沈めることで室内装飾に用いることも可能な発光装置に関して利用可能である。
【符号の説明】
【００４６】
１０  発光装置
１１  外側ケース体
１２  外側ケース体の内部
１３  内側ケース体
１４  発光ダイオード
１５  電池
１６  制御基板
１７  電気回路部
１８  ゴム電極
１８ａ電極本体部
１８ｂ突起部
１８ｃ突起部
１９  ゴム電極
１９ａ電極本体部
１９ｂ突起部
１９ｃ突起部
２０  遅延回路
２１  外側ケース体の底面部
２２  外側ケース体の孔部
２３  外側ケース体の孔部
２４  テーパー面
２５  外側ケース体の突出部
２６  内側ケース体の底面部
２７  内側ケース体の孔部
２８  内側ケース体の孔部
２９  外側ケース体の突起部
３０  外側ケース体の底面部の凸部
３１  内側ケース体の溝部
３２  ゴムパッキン
３４  ゲル状物質
３５  ラベル
３６  プラス電極（板バネ状電極）
３７  プラス電極（板バネ状電極）
３８  マイナス電極
３９  通電スイッチ用電極
４０  絶縁シート
４１  グラス（容器）
４２  導電性液体
【図１】
0003167411.tif 000003
【図２】
0003167411.tif 000004
【図３】
0003167411.tif 000005
【図４】
0003167411.tif 000006
【図５】
0003167411.tif 000007
【図６】
0003167411.tif 000008
【図７】
0003167411.tif 000009
【図８】
0003167411.tif 000010